(57)【要約】【課題】本発明の磁気テープ装置は、清掃ユニットの設置負担を軽減できる磁気テープ装置を提供することを目的とする。【解決手段】磁気テープ装置は、磁気ヘッド６に対して搬送経路を挟んで対向して配置される支持部材７１と、支持部材７１に回転可能に支持されて搬送部の移動経路と交差する待機位置に配置される入力部材７２と、支持部材７１に回転可能に支持されて移動経路と交差しない基本位置に配置され、磁気ヘッド６を清掃するクリーニング部７３ｄが設けられた清掃部材７３と、を有して、磁気ヘッド６を清掃する清掃ユニット７を備える。入力部材７２及び清掃部材７３には、入力部材７２が前記待機位置から移動経路から退避する作動位置に向かって回転移動する場合に、清掃部材７３を、前記基本位置から移動経路と交差する清掃位置に向かって入力部材７２と同じ方向に回転するよう連係させて移動させる連係機構を有している。【選択図】図２
2015056197.tif 000002
【特許請求の範囲】
【請求項１】
磁気テープが巻き付けられる供給リールと、
前記供給リールから引き出される前記磁気テープを巻き取る巻き取りリールと、
前記磁気テープを前記供給リールから引き出し、搬送経路に沿って移動させて前記巻き取りリールに巻き取らせる搬送部と、
前記搬送経路の途中に配置されて、前記搬送経路を移動する前記磁気テープに対してデータの読み書きを行う磁気ヘッドと、
前記磁気ヘッドを清掃する清掃ユニットと、を備え、
前記清掃ユニットは、
前記磁気ヘッドに対して前記搬送経路を挟んで対向して配置される支持部材と、
前記支持部材に回転可能に支持されて前記搬送部の移動経路と交差する待機位置に配置される入力部材と、
前記支持部材に回転可能に支持されて前記移動経路と交差しない基本位置に配置されると共に、前記磁気ヘッドを接触することで清掃するクリーニング部が設けられた清掃部材と、を有し、
前記入力部材及び前記清掃部材には、前記供給リールに向かって移動する前記搬送部によって押圧されて前記入力部材が前記待機位置から、前記移動経路から退避する方向の作動位置に向かって回転移動する場合に、前記清掃部材を、前記基本位置から前記移動経路と交差する清掃位置に向かって前記入力部材と同じ方向に回転するよう連係させて移動させ、前記クリーニング部を前記磁気ヘッドに接触させる連係機構を有することを特徴とする磁気テープ装置。
【請求項２】
前記清掃ユニットは、前記清掃部材を前記基本位置に向かって付勢する清掃付勢部材を有し、
前記供給リールに向かって移動する前記搬送部により押圧された前記入力部材が前記搬送部から離間した場合に、前記連係機構は、前記清掃付勢部材の付勢力によって前記基本位置に向かって回転移動する前記清掃部材と共に、前記入力部材を前記待機位置に向かって前記清掃部材と同じ方向に回転移動させて前記待機位置に戻すことを特徴とする請求項１に記載の磁気テープ装置。
【請求項３】
前記巻き取りリールに向かって移動する前記搬送部によって押圧されて前記入力部材が前記待機位置から、前記移動経路から退避する方向の退避位置に向かって回転移動する場合に、前記連係機構は、前記清掃部材を回転移動させずに前記基本位置に留まらせることを特徴とする請求項２に記載の磁気テープ装置。
【請求項４】
前記清掃ユニットは、前記入力部材を前記待機位置に向かって付勢する入力付勢部材を有し、
前記巻き取りリールに向かって移動する前記搬送部により押圧された前記入力部材が前記搬送部から離間した場合に、前記入力付勢部材の付勢力によって前記待機位置に向かって回転移動する入力部材に対し、前記連係機構が、前記清掃部材は回転移動させずに前記基本位置に留まらせることを特徴とする請求項３に記載の磁気テープ装置。
【請求項５】
磁気テープが巻き付けられる供給リールと、
前記供給リールから引き出される前記磁気テープを巻き取る巻き取りリールと、
前記磁気テープを前記供給リールから引き出し、搬送経路に沿って移動させて前記巻き取りリールに巻き取らせる搬送部と、
前記搬送経路の途中に配置されて、前記搬送経路を移動する前記磁気テープに対してデータの読み書きを行う磁気ヘッドと、
を備えた磁気テープ装置において、
前記磁気ヘッドに対して前記搬送経路を挟んで対向して配置される支持部材に回転可能に支持されて前記搬送部の移動経路と交差する待機位置に配置される入力部材が、前記供給リールに向かって移動する前記搬送部によって押圧されて、前記待機位置から前記移動経路から退避する方向の作動位置に向かって回転移動する場合に、
前記支持部材に回転可能に支持されて前記移動経路と交差しない基本位置に配置されると共に、前記磁気ヘッドを接触することで清掃するクリーニング部が設けられた清掃部材を、前記基本位置から前記移動経路と交差する清掃位置に向かって前記入力部材と同じ方向に回転するよう連係させて移動させ、前記クリーニング部を前記磁気ヘッドに接触させることを特徴とする磁気テープ装置の磁気ヘッド清掃方法。
【発明の詳細な説明】
【技術分野】
【０００１】
本発明は、磁気テープ装置及び磁気テープ装置の磁気ヘッド清掃方法に関する。
【背景技術】
【０００２】
磁気テープ装置は、供給リールに巻き回された磁気テープの先端を、磁気テープ装置内部の巻き取りリールのハブに搬送固定するスレッディング機構を備えている。
【０００３】
ここで、供給リールから磁気テープを引き出して巻き取りリールに固定する動作をスレッディングという。また、スレッディングのときと反対方向にスレッディングアームを移動させて、巻き取りリールに固定されている磁気テープをカートリッジへ収納する動作をアンスレッディングという。これらスレッディング、アンスレッディングの動作がスレッディング機構によって行なわれる。
【０００４】
スレッディング機構は、駆動源からの駆動力をギアから受けてカムギアが回転すると移動するスレッディングアームを備えている。スレッディング機構では、スレッディングアームの移動に応じて、リーダブロックが磁気テープの搬送経路（スレッダ軌道、リーダブロックの走行経路）に沿って移動する。そして、リーダブロックのフック部で磁気テープの先端に設けたリーダピンを引掛けて保持し、このリーダブロックが移動して磁気テープの先端を供給リールから引き出す。そして、リーダブロックは巻き取りリールに磁気テープを搬送して固定するように動作する。このように磁気テープを搬送することにより、磁気テープ装置の内部に設けられた磁気ヘッドに磁気テープが対向配置され、データの読み取り／書き込み（Ｒ／Ｗ）を行なうことができる。
【０００５】
一方、安定して磁気テープにデータの読み書きを行なうために、磁気ヘッドを定期的にクリーニングして清浄な状態に維持しておくことが必要になる。このため、磁気テープ装置には、磁気ヘッドを清掃する清掃ユニットを備えたものがある（例えば、特許文献１、特許文献２）。
【０００６】
特許文献１には清掃ユニットとして、モータを用いて駆動させることで磁気ヘッドの清掃を行うクリーニング機構が開示されている。このクリーニング機構は、磁気テープの搬送経路から外れた位置に、ブラシを備えたクリーニング部材と、アームと、アームを駆動する駆動源であるモータとを設けている。このクリーニング部材は、モータを駆動させてアームによってブラシが磁気ヘッドに接触する位置まで移動させると共に所定の距離内でブラシを往復移動させ、ブラシで擦って磁気ヘッドをクリーニングしている。
【０００７】
また、特許文献２には清掃ユニットとして、スレッディングアームを移動させるカムギアを用いて駆動させることで、磁気ヘッドの清掃を行うクリーニング機構が開示されている。このクリーニング機構は、スレッディングアームを移動させるカムギアに沿ってクリーニング部材であるブラシが先端に設けられたブラシアームを配置している。このクリーニング機構は、カムギアを回転させることで、ブラシアームを移動させ、ブラシを磁気ヘッドまでカムギアに沿って移動させ、ブラシで擦って磁気ヘッドをクリーニングする。
【先行技術文献】
【特許文献】
【０００８】
【特許文献１】特開２００６−３１８５６３号公報
【特許文献２】特開２０１２−０７９３８１号公報
【発明の概要】
【発明が解決しようとする課題】
【０００９】
特許文献１及び特許文献２のいずれのクリーニング機構も、ブラシを磁気ヘッドまで移動させる駆動源がモータやカムギア等の大きな部品である。しかしながら、磁気ヘッドの周りには大きな部品を配置するスペースを確保することが難しい。そのため、駆動源を磁気ヘッドから離間した位置に配置しなければならず、磁気ヘッドに接触して清掃を行うブラシと、駆動源との距離が離れてしまう。その結果、ブラシと駆動源とをつなぐアームが長くなってしまい、安定して磁気ヘッドを清掃することが難しい。
【００１０】
本発明は、上記課題を解決するためになされたものであって、安定して磁気ヘッドを清掃することが可能な磁気テープ装置及び磁気テープ装置の磁気ヘッド清掃方法を提供することを目的とする。
【課題を解決するための手段】
【００１１】
上記課題を解決するために、本発明は以下の手段を提案している。
本発明の一態様に係る磁気テープ装置は、磁気テープが巻き付けられる供給リールと、前記供給リールから引き出される前記磁気テープを巻き取る巻き取りリールと、前記磁気テープを前記供給リールから引き出し、搬送経路に沿って移動させて前記巻き取りリールに巻き取らせる搬送部と、前記搬送経路の途中に配置されて、前記搬送経路を移動する前記磁気テープに対してデータの読み書きを行う磁気ヘッドと、前記磁気ヘッドを清掃する清掃ユニットと、を備え、前記清掃ユニットは、前記磁気ヘッドに対して前記搬送経路を挟んで対向して配置される支持部材と、前記支持部材に回転可能に支持されて前記搬送部の移動経路と交差する待機位置に配置される入力部材と、前記支持部材に回転可能に支持されて前記移動経路と交差しない基本位置に配置されると共に、前記磁気ヘッドを接触することで清掃するクリーニング部が設けられた清掃部材と、を有し、前記入力部材及び前記清掃部材には、前記供給リールに向かって移動する前記搬送部によって押圧されて前記入力部材が前記待機位置から前記移動経路から退避する方向の作動位置に向かって回転移動する場合に、前記清掃部材を、前記基本位置から前記移動経路と交差する清掃位置に向かって前記入力部材と同じ方向に回転するよう連係させて移動させ、前記クリーニング部を前記磁気ヘッドに接触させる連係機構を有することを特徴とする。
【００１２】
また、本発明の一態様に係る磁気テープ装置の磁気ヘッド清掃方法においては、磁気テープが巻き付けられる供給リールと、前記供給リールから引き出される前記磁気テープを巻き取る巻き取りリールと、前記磁気テープを前記供給リールから引き出し、搬送経路に沿って移動させて前記巻き取りリールに巻き取らせる搬送部と、前記搬送経路の途中に配置されて、前記搬送経路を移動する前記磁気テープに対してデータの読み書きを行う磁気ヘッドと、を備えた磁気テープ装置において、前記磁気ヘッドに対して前記搬送経路を挟んで対向して配置される支持部材に回転可能に支持されて前記搬送部の移動経路と交差する待機位置に配置される入力部材が、前記供給リールに向かって移動する前記搬送部によって押圧されて、前記待機位置から前記移動経路から退避する方向の作動位置に向かって回転移動する場合に、前記支持部材に回転可能に支持されて前記移動経路と交差しない基本位置に配置されると共に、前記磁気ヘッドを接触することで清掃するクリーニング部が設けられた清掃部材を、前記基本位置から前記移動経路と交差する清掃位置に向かって前記入力部材と同じ方向に回転するよう連係させて移動させ、前記クリーニング部を前記磁気ヘッドに接触させることを特徴とする。
【発明の効果】
【００１３】
本発明の磁気テープ装置及び磁気テープ装置の磁気ヘッド清掃方法によれば、磁気ヘッドの近くに清掃ユニットを設置でき、安定して磁気ヘッドを清掃することができる。
【図面の簡単な説明】
【００１４】
【図１】本発明の実施形態における磁気テープ装置を説明する模式図である。
【図２】本発明の実施形態における清掃ユニットを詳細に説明する斜視図である。
【図３】図２の清掃ユニットを異なる角度から説明する斜視図である。
【図４】本発明の実施形態におけるリーダブロックが移動する前であって、入力部材が待機位置、清掃部材が基本位置に配置されている様子を説明する模式図である。
【図５】本発明の実施形態におけるリーダブロックが供給リールに向かって移動し、入力部材が作動位置、清掃部材が清掃位置に配置されている様子を説明する模式図である。
【図６】本発明の実施形態におけるリーダブロックが清掃ユニットを通り抜けて供給リールに向かって移動し、入力部材が待機位置、清掃部材が基本位置に配置されている様子を説明する模式図である。
【図７】本発明の実施形態におけるリーダブロックが巻き取りールに向かって移動し、入力部材が退避位置、清掃部材が基本位置に配置されている様子を説明する模式図である。
【図８】本発明の実施形態におけるリーダブロックが清掃ユニットを通り抜けて巻き取りリールに向かって移動し、入力部材が待機位置、清掃部材が基本位置に配置されている様子を説明する模式図である。
【図９】本発明の実施形態における最小構成の磁気テープ装置を説明する模式図である。
【発明を実施するための形態】
【００１５】
以下、本発明に係る実施形態について図１から図８を参照して説明する。
本実施形態は、磁気テープＭに対してデータの読み取り／書き込みを行なうカートリッジ式の磁気テープ装置１に関するものである。
【００１６】
図１に示すように、本実施形態の磁気テープ装置１は、磁気テープＭが巻き付けられた供給リール３と、供給リール３から磁気テープＭを搬送経路Ｆに沿って移動させつつ、磁気テープ装置１内の巻き取りリール５に引き込んで固定するスレッディング機構４とを備えている。磁気テープ装置１はスレッディング機構４によって搬送された磁気テープＭを巻き取る巻き取りリール５を備えている。磁気テープ装置１は、搬送経路Ｆの途中に配置されてスレッディング機構４によって搬送される磁気テープＭに対してデータの読み書きを行う磁気ヘッド６と、磁気ヘッド６を清掃する清掃ユニット７とを備えている。
【００１７】
ここで、本実施形態では、図１における紙面上下方向を搬送方向Ｔ１、搬送方向Ｔ１と直交する紙面左右方向を搬送交差方向Ｔ２、搬送方向Ｔ１及び搬送交差方向Ｔ２と直交する紙面奥行方向を磁気テープ幅方向Ｔ３とする。
【００１８】
供給リール３は、磁気テープ幅方向Ｔ３に延びる回転軸を有しており、磁気テープＭが巻き付けられている。供給リール３は、本実施形態においてはテープカートリッジ３１に収容されており、外部から磁気テープ装置１に挿入可能とされている。供給リール３に巻き付けられている磁気テープＭは、先端にリーダピン３２が取り付けられている。供給リール３は、リーダピン３２が引き出されることで、磁気テープＭも併せて引き出される構造となっている。
【００１９】
スレッディング機構４は、供給リール３に巻き付けられた磁気テープＭを引き出して搬送経路Ｆに沿って巻き取りリール５まで移動させる搬送部である。スレッディング機構４は、磁気テープ装置１のケース等の箱型の外装部材２に設けられている。スレッディング機構４は、リーダピン３２を引掛けて保持するリーダブロック４１と、リーダブロック４１を支持して搬送経路Ｆに沿って移動させるスレッディングアーム４２とを備えている。
【００２０】
リーダブロック４１は、磁気テープＭを供給リール３から引き出して搬送経路Ｆに沿って移動させて巻き取りリール５に巻き取らせる。リーダブロック４１には、図１及び図２に示すように、搬送経路Ｆの供給リール３側である先端側に、リーダピン３２を保持するためのフック部４１ａが設けられている。リーダブロック４１は、搬送経路Ｆの巻き取りリール５側である後端側に、連結軸４１ｂを有しており、これがスレッディングアーム４２に回転自在に連結されている。連結軸４１ｂは、ローラ４１ｃを回転自在に支持している。
【００２１】
スレッディングアーム４２は、リーダブロック４１を回転自在に支持することで、スレッディングアーム４２自体の移動に応じて、リーダブロック４１を搬送経路Ｆに沿って移動させる。スレッディングアーム４２は、磁気テープ幅方向Ｔ３の上側（図１紙面奥行方向手前側）からリーダブロック４１に重なって連結軸４１ｂに接続されている。
【００２２】
巻き取りリール５は、磁気テープ幅方向Ｔ３に延びる回転軸を有しており、供給リール３から引き出されて搬送されてきた磁気テープＭを巻き取って固定する。本実施形態における巻き取りリール５は、磁気テープ装置１の外装部材２に設けられて、供給リール３と搬送方向Ｔ１に並列して配置されている。
【００２３】
磁気ヘッド６は、磁気テープ装置１の外装部材２に設けられている。磁気ヘッド６は、搬送経路Ｆを移動する磁気テープＭに対してデータの読み書きを行うヘッド部６１と、ヘッド部６１を磁気テープ幅方向Ｔ３に進退移動させる進退機構６２とを有している。磁気ヘッド６は、搬送経路Ｆの途中である供給リール３と巻き取りリール５との間で、ヘッド部６１が搬送経路Ｆに向かって配置されている。
進退機構６２は、例えば、不図示の駆動モータが配置され、駆動モータで正逆回転させることによって、磁気ヘッド６を磁気テープ幅方向Ｔ３に上下させるように構成されている。
【００２４】
清掃ユニット７は、リーダブロック４１の移動に応じて、回転して磁気ヘッド６のヘッド部６１に接触することでヘッド部６１を清掃する。図２から図４に示す清掃ユニット７は、磁気テープ装置１の外装部材２に設けられている。清掃ユニット７は、図４に示すように、磁気ヘッド６に対して搬送経路Ｆを挟んで対向して配置される支持部材７１を有している。また、清掃ユニット７は、支持部材７１に回転可能に支持されてスレッディング機構４の移動経路と交差する待機位置Ｐ１に配置される入力部材７２と、支持部材７１に回転可能に支持されて磁気ヘッド６をこれに接触することで清掃する清掃部材７３とを有している。清掃ユニット７は、入力部材７２及び清掃部材７３に、それぞれの部材の動きを連係させる連係機構７４を有している。清掃ユニット７は、清掃部材７３を付勢する清掃付勢部材７６と、入力部材７２を付勢する入力付勢部材７５とを有している。
【００２５】
支持部材７１は、磁気テープ装置１の外装部材２に固定され、磁気テープ幅方向Ｔ３に沿って延びる軸部材である。支持部材７１は、搬送経路Ｆを挟んで磁気ヘッド６と搬送交差方向Ｔ２の反対側に配置されている。
【００２６】
入力部材７２は、支持部材７１に回転可能に支持され、スレッディング機構４が移動した場合に押圧されることで支持部材７１を中心として回転移動する。入力部材７２は、図４に示すように、初期位置として搬送経路Ｆでもあるスレッディング機構４の移動経路と交差する待機位置Ｐ１に配置される。ここでは、入力部材７２について待機位置Ｐ１に配置された状態をもって説明する。
【００２７】
入力部材７２は、支持部材７１を挿通させる入力挿通部７２ａと、磁気ヘッド６に向かってスレッディング機構４の移動経路を横切るように入力挿通部７２ａから延びる入力本体部７２ｂとを有している。また、入力部材７２は、入力本体部７２ｂから磁気テープ幅方向Ｔ３の上側に向かって突出する付勢部材受け部７２ｃと、入力本体部７２ｂと直交するよう搬送方向Ｔ１の巻き取りリール５側に向かって入力挿通部７２ａから延びる入力連係部７２ｄとを有している。
【００２８】
入力挿通部７２ａは、入力部材７２自体を支持部材７１に対して回転可能に取り付けている。入力挿通部７２ａは、磁気テープ幅方向Ｔ３に沿って円筒状をなして延在している。入力挿通部７２ａは、内部の中空部分に支持部材７１が挿通されている。
【００２９】
入力本体部７２ｂは、入力挿通部７２ａから搬送交差方向Ｔ２に沿って磁気ヘッド６に向かって矩形板状に突出している。入力本体部７２ｂは、搬送方向Ｔ１の供給リール３側の面が入力挿通部７２ａと平滑に接続されている。また、入力本体部７２ｂは、入力挿通部７２ａの磁気テープ幅方向Ｔ３の面とも平滑に接続されている。即ち、入力本体部７２ｂは、入力挿通部７２ａと磁気テープ幅方向Ｔ３の高さが同じで、搬送経路Ｆに対して横切るように交差して形成されている。
【００３０】
付勢部材受け部７２ｃは、入力本体部７２ｂの磁気テープ幅方向Ｔ３の上側の面から矩形板状をなして突出して形成されている。付勢部材受け部７２ｃは、入力本体部７２ｂよりも搬送方向Ｔ１の厚みが薄く形成されている。そして、付勢部材受け部７２ｃは、搬送方向Ｔ１の供給リール３側の面が入力本体部７２ｂと平滑に接続されている。本実施形態においては、付勢部材受け部７２ｃは、入力本体部７２ｂに対して搬送方向Ｔ１の巻き取りリール５側の面が凹んで形成されている。
【００３１】
入力連係部７２ｄは、入力挿通部７２ａから搬送方向Ｔ１の巻き取りリール５側に向かって直方状をなして突出している。入力連係部７２ｄは、搬送交差方向Ｔ２の厚みが入力本体部７２ｂの搬送方向Ｔ１の厚みと同程度の厚みで形成されている。入力連係部７２ｄは、入力挿通部７２ａの磁気テープ幅方向Ｔ３の面と平滑に接続されている。また、入力連係部７２ｄは、搬送交差方向Ｔ２の磁気ヘッド６から離れている側で入力挿通部７２ａの面と平滑に接続されるよう形成されている。即ち、入力連係部７２ｄは、入力挿通部７２ａと磁気テープ幅方向Ｔ３の高さが同じで、搬送交差方向Ｔ２の磁気ヘッド６側の面が入力挿通部７２ａに対して凹んで形成されている。
【００３２】
清掃部材７３は、入力部材７２よりも磁気テープ幅方向Ｔ３の下側（図１紙面奥行方向奥側）に配置され、支持部材７１に対して回転可能に支持されている。清掃部材７３は、図４に示すように、初期位置として、スレッディング機構４の移動経路と交差しない基本位置Ｐ４に配置されている。ここでは、清掃部材７３について、基本位置Ｐ４に配置された状態をもって説明する。
【００３３】
清掃部材７３は、支持部材７１を挿通させる清掃挿通部７３ａと、搬送方向Ｔ１の巻き取りリール５側に向かって延びる清掃本体部７３ｂと、清掃本体部７３ｂに設けられて磁気ヘッド６を清掃するクリーニング部７３ｄと、清掃本体部７３ｂから磁気テープ幅方向Ｔ３の上側に向かって突出する清掃連係部７３ｃと、を有している。
【００３４】
清掃挿通部７３ａは、清掃部材７３自体を支持部材７１に対して回転可能に取り付けている。清掃挿通部７３ａは、磁気テープ幅方向Ｔ３に沿って円筒状をなして延在している。清掃挿通部７３ａは、内部の中空部分に支持部材７１が挿通されている。清掃挿通部７３ａは、入力挿通部７２ａの磁気テープ幅方向Ｔ３の下側に配置されている。
【００３５】
清掃本体部７３ｂは、清掃挿通部７３ａから搬送方向Ｔ１の巻き取りリール５側に向かって矩形板状をなして突出している。清掃本体部７３ｂは、清掃挿通部７３ａに対して磁気テープ幅方向Ｔ３の上側の面と平滑に接続され、磁気テープ幅方向Ｔ３の下側の面が突出して形成されている。即ち、清掃本体部７３ｂは、清掃挿通部７３ａの磁気テープ幅方向Ｔ３の下側に凹みを形成するよう搬送経路Ｆに沿って突出している。
【００３６】
クリーニング部７３ｄは、清掃本体部７３ｂの清掃挿通部７３ａと接続されていない側の端部からピン状の複数のクリーニング用のブラシが搬送方向Ｔ１の巻き取りリール５側に向かって突出して形成されている。
【００３７】
清掃連係部７３ｃは、清掃本体部７３ｂから磁気テープ幅方向Ｔ３の上側に向かって直方状をなして突出している。清掃連係部７３ｃは、搬送交差方向Ｔ２の両側の面が清掃本体部７３ｂに対して凹んで形成されている。
【００３８】
ここで、本実施形態では、入力部材７２の位置として、入力部材７２が供給リール３側に向かって回転移動して、入力本体部７２ｂが供給リール３側を向いてスレッディング機構４の移動経路から退避する方向に移動した位置を作動位置Ｐ２とする。即ち、作動位置Ｐ２は、図５に示すように、入力本体部７２ｂが、スレッディングアーム４２に支持されて搬送経路Ｆを移動するローラ４１ｃに対して逃げて、支持部材７１と接続されていない側の端部が供給リール３側に向かうよう配置される位置である。
また、入力部材７２が巻き取りリール５側に向かって回転移動して、入力本体部７２ｂが巻き取りリール５側を向いてスレッディング機構４の移動経路から退避する方向に移動した位置を退避位置Ｐ３とする。即ち、退避位置Ｐ３は、図７に示すように、入力本体部７２ｂが、スレッディングアーム４２に支持されて搬送経路Ｆを移動するローラ４１ｃに対して逃げて、支持部材７１と接続されていない側の端部が巻き取りリール５側に向かうよう配置される位置である。
【００３９】
さらに、清掃部材７３の位置として、清掃部材７３が磁気ヘッド６側に向かって回転移動して、清掃本体部７３ｂがスレッディング機構４の移動経路及び搬送経路Ｆと交差する位置であって、磁気ヘッド６のヘッド部６１とクリーニング部７３ｄとが接触する位置を清掃位置Ｐ５とする。即ち、清掃位置Ｐ５は、図５に示すように、清掃本体部７３ｂがスレッディング機構４の移動経路及び搬送経路Ｆを横切って、支持部材７１と接続されていない側の端部が磁気ヘッド６に向かうよう配置される位置である。
【００４０】
さらに、図４に示すように、入力部材７２が待機位置Ｐ１から作動位置Ｐ２まで供給リール３に向かって支持部材７１を中心に回転する方向を第一回転方向Ｒ１とする。即ち、第一回転方向Ｒ１は、図４において支持部材７１を中心に反時計回りに回転する方向である。そして、入力部材７２が、作動位置Ｐ２から待機位置Ｐ１まで巻き取りリール５に向かって支持部材７１を中心に回転する方向を第二回転方向Ｒ２とする。即ち、第二回転方向Ｒ２は、図４において支持部材７１を中心に時計回りに回転する方向である。
なお、第一回転方向Ｒ１及び第二回転方向Ｒ２は、清掃部材７３や他の部材が支持部材７１を中心に回転する場合にも同様に用いるものとする。
【００４１】
連係機構７４は、入力部材７２の入力連係部７２ｄと、清掃部材７３の清掃連係部７３ｃとによって構成されている。本実施形態における連係機構７４は、入力部材７２が待機位置Ｐ１にあり、清掃部材７３が基本位置Ｐ４にある状態で、清掃連係部７３ｃを搬送交差方向Ｔ２の磁気ヘッド６側に配置し、入力連係部７２ｄを清掃連係部７３ｃよりも搬送交差方向Ｔ２の磁気ヘッド６から離れた側に配置している。即ち、連係機構７４は、清掃本体部７３ｂの磁気テープ幅方向Ｔ３の上側の面上で、入力連係部７２ｄと清掃連係部７３ｃとを搬送交差方向Ｔ２に対向させるよう配置して構成される。
【００４２】
入力付勢部材７５は、入力部材７２を待機位置Ｐ１に向かって第一回転方向Ｒ１に付勢するバネ部材である。本実施形態において入力付勢部材７５として用いられるバネ部材は、二本のアームが９０°開いて延びているねじりバネである。入力付勢部材７５は、支持部材７１を挿通させて、入力部材７２よりも磁気テープ幅方向Ｔ３の上側に配置されている。
【００４３】
具体的には、入力付勢部材７５は、一方のアームが搬送方向Ｔ１の巻き取りリール５に向かって延びており、磁気テープ装置１に外装部材２の内壁面に接触するよう配置されている。そして、入力付勢部材７５は、入力部材７２が待機位置Ｐ１にあるとき、逆側のアームが搬送交差方向Ｔ２の磁気ヘッド６に向かって延びており、付勢部材受け部７２ｃの搬送方向Ｔ１の巻き取りリール５側の面に接触するよう配置されている。
【００４４】
清掃付勢部材７６は、清掃部材７３を基本位置Ｐ４に向かって第二回転方向Ｒ２に付勢するバネ部材である。本実施形態において清掃付勢部材７６として用いられるバネ部材は、二本のアームが１８０°開いて延びているねじりバネである。清掃付勢部材７６は、支持部材７１を挿通させて、清掃部材７３よりも磁気テープ幅方向Ｔ３の下側に配置されている。
【００４５】
具体的には、清掃付勢部材７６は、一方のアームが搬送方向Ｔ１の供給リール３に向かって延びており、磁気テープ装置１に外装部材２の内壁面に接触するよう配置されている。清掃付勢部材７６は、清掃部材７３が基本位置Ｐ４にあるとき、逆側のアームが搬送方向Ｔ１の巻き取りリール５に向かって延びており、折れ曲がることで清掃本体部７３ｂの搬送交差方向Ｔ２の磁気ヘッド６側の面に接触するよう配置されている。
【００４６】
次に、上記構成の磁気テープ装置１の作用について図４から図８を用いて説明する。
磁気テープ装置１は、供給リール３から磁気テープＭを引き出して巻き取りリール５に固定するスレッディング時に、不図示の駆動源の駆動によってギアが回転し、スレッディングアーム４２を移動させる。スレッディングアーム４２の移動に応じて、連結軸４１ｂでスレッディングアーム４２と接続されたリーダブロック４１が、移動経路を巻き取りリール５から供給リール３側に向かって移動する。スレッディングアーム４２が移動し始めた状態では、図４に示すように、清掃ユニット７とスレッディング機構４とは離れている。そのため、入力部材７２は待機位置Ｐ１、清掃部材７３は基本位置Ｐ４にそれぞれ配置されており、この位置を初期位置として清掃ユニット７は配置されている。
【００４７】
スレッディングアーム４２が移動し、これによりリーダブロック４１がさらに移動して磁気ヘッド６の近くまで搬送方向Ｔ１の供給リール３側に向かう。その結果、図５に示すように、スレッディングアーム４２に支持されたローラ４１ｃが、清掃ユニット７の入力部材７２と接触する。そして、入力部材７２は、スレッディングアーム４２によって搬送方向Ｔ１の供給リール３側に向かって押圧される。具体的には、入力部材７２の入力本体部７２ｂが、スレッディングアーム４２に支持されたローラ４１ｃに接触して押される。スレッディングアーム４２によって押された入力本体部７２ｂは、入力挿通部７２ａに挿通された支持部材７１を中心に作動位置Ｐ２側に向かって第一回転方向Ｒ１に沿って回転移動する。その後、入力本体部７２ｂは、リーダブロック４１が供給リール３に向かうにしたがって、待機位置Ｐ１から入力本体部７２ｂがスレッディングアーム４２に支持されたローラ４１ｃの移動を妨げない作動位置Ｐ２まで回転移動する。
【００４８】
また、入力部材７２が作動位置Ｐ２側に向かって回転移動すると、連係機構７４は清掃部材７３を、基本位置Ｐ４から清掃位置Ｐ５側に向かって入力部材７２と同じ方向に回転するよう連係させて移動させる。具体的には、連係機構７４は、入力部材７２が供給リール３側に向かって第一回転方向Ｒ１に沿って回転すると、入力連係部７２ｄと清掃連係部７３ｃとが接触する。そのため、連係機構７４は、入力連係部７２ｄによって清掃連係部７３ｃが押されて、清掃部材７３を入力部材７２と共に同じ方向である第一回転方向Ｒ１に沿って回転移動させる。そして、清掃本体部７３ｂは、清掃部材７３をスレッディング機構４の移動経路及び搬送経路Ｆと交差する清掃位置Ｐ５まで移動する。清掃部材７３は、清掃位置Ｐ５まで移動するとクリーニング部７３ｄのブラシが磁気ヘッド６のヘッド部６１の表面に接触する。クリーニング部７３ｄが磁気ヘッド６に接触すると、進退機構６２が駆動して磁気ヘッド６が磁気テープ幅方向Ｔ３の上下方向に進退する。これにより、ヘッド部６１の表面をクリーニング部７３ｄで擦り、磁気ヘッド６の表面が清掃される。
【００４９】
その後、スレッディングアーム４２が移動し、リーダブロック４１がさらに搬送方向Ｔ１の供給リール３側に向かって移動すると、図６に示すように、スレッディングアーム４２に支持されたローラ４１ｃが入力部材７２から離間する。そして、入力部材７２がローラ４１ｃから離間することで、清掃部材７３も入力部材７２によって第一回転方向Ｒ１に向かって押されなくなる。清掃部材７３は、清掃付勢部材７６によって、清掃位置Ｐ５から基本位置Ｐ４側に向かって付勢されている。そのため、清掃部材７３は、入力部材７２によって第一回転方向Ｒ１に押されなくなると、清掃位置Ｐ５から基本位置Ｐ４側に向かって支持部材７１を中心として第二回転方向Ｒ２に沿って回転移動して基本位置Ｐ４に戻る。
【００５０】
また、清掃部材７３が清掃位置Ｐ５から基本位置Ｐ４側に向かって回転移動すると、連係機構７４は、入力部材７２を作動位置Ｐ２から基本位置Ｐ４側に向かって清掃部材７３と同じ方向に回転するよう連係させて移動させる。具体的には、連係機構７４は、清掃部材７３が巻き取りリール５側に向かって第一回転方向Ｒ１に沿って回転すると、清掃連係部７３ｃと入力連係部７２ｄとが接触する。そのため、連係機構７４は、清掃連係部７３ｃによって入力連係部７２ｄが押されて、入力部材７２を清掃部材７３と共に同じ方向である第一回転方向Ｒ１に沿って回転移動させる。したがって、入力部材７２は、清掃部材７３が基本位置Ｐ４に戻ると共に作動位置Ｐ２から回転移動して待機位置Ｐ１に戻る。
【００５１】
その後、スレッディングアーム４２が移動し、リーダブロック４１が供給リール３側のリーダピン３２の位置に達すると、供給リール３に巻き回された磁気テープＭの先端に設けたリーダピン３２をフック部４１ａで引掛けて保持する。リーダピン３２を保持したリーダブロック４１は、スレッディングアーム４２の移動に応じて、搬送経路Ｆを供給リール３から搬送方向Ｔ１の巻き取りリール５側に向かって移動する。
【００５２】
スレッディングアーム４２が移動し、リーダブロック４１がさらに移動して磁気ヘッド６の近くまで搬送方向Ｔ１の巻き取りリール５側に向かう。その結果、図７に示すように、スレッディングアーム４２に支持されたローラ４１ｃによって、入力部材７２は搬送方向Ｔ１の巻き取りリール５側に向かって押圧される。具体的には、入力本体部７２ｂが、スレッディングアーム４２の移動により、巻き取りリール５に向かって移動するリーダブロック４１の連結軸４１ｂに支持されたローラ４１ｃに接触して押される。ローラ４１ｃによって押された入力本体部７２ｂは、入力挿通部７２ａに挿通された支持部材７１を中心に退避位置Ｐ３側に向かって回転移動する。その後、入力本体部７２ｂは、リーダブロック４１が巻き取りリール５に向かうにしたがって、待機位置Ｐ１から入力本体部７２ｂがスレッディングアーム４２に支持されたローラ４１ｃの移動を妨げない退避位置Ｐ３まで回転移動する。
【００５３】
入力部材７２が基本位置Ｐ４から退避位置Ｐ３側に向かって回転移動しても、連係機構７４は、清掃部材７３を回転移動させずに、基本位置Ｐ４に留まらせる。連係機構７４は、入力部材７２が巻き取りリール５側に向かって第二回転方向Ｒ２に沿って回転すると、入力連係部７２ｄと清掃連係部７３ｃとが離間する。そのため、連係機構７４は、入力部材７２のみを回転移動させる。そして、清掃本体部７３ｂは、入力本体部７２ｂと共に回転移動せず、基本位置Ｐ４に留まり続ける。
【００５４】
スレッディングアーム４２が移動し、リーダブロック４１がさらに巻き取りリール５に向かって移動すると、図８に示すように、スレッディングアーム４２に支持されたローラ４１ｃが入力部材７２から離間する。入力部材７２は、入力付勢部材７５によって、退避位置Ｐ３から待機位置Ｐ１側に向かって付勢されている。そのため、入力部材７２がローラ４１ｃから離間すると、入力部材７２は、退避位置Ｐ３から待機位置Ｐ１側に向かって支持部材７１を中心として回転移動し、待機位置Ｐ１に戻る。これにより、清掃ユニット７は、スレッディングアーム４２及びリーダブロック４１が動き始める前の初期位置に戻る。
【００５５】
上記のような磁気テープ装置１によれば、入力本体部７２ｂは、磁気ヘッド６に対して搬送経路Ｆを挟んで搬送交差方向Ｔ２の反対側で対向するよう配置される支持部材７１から磁気ヘッド６に向かってスレッディング機構４の移動経路及び搬送経路Ｆを横切るよう延びて形成されている。そのため、スレッディングアーム４２がリーダブロック４１を移動経路上で供給リール３に向かって移動させると、スレッディングアーム４２に支持されたローラ４１ｃは、入力本体部７２ｂと接触することとなる。したがって、スレッディングアーム４２及びリーダブロック４１の動きに合わせて、入力部材７２を待機位置Ｐ１から作動位置Ｐ２に向かって容易に押して回転移動させることができる。そして、入力部材７２が待機位置Ｐ１から作動位置Ｐ２に向かって回転移動する場合には、入力連係部７２ｄが、これと共に連係機構７４を構成する清掃連係部７３ｃと接触してこれを押すことができる。これにより、入力本体部７２ｂに作用する力を清掃本体部７３ｂに伝達して清掃部材７３を基本位置Ｐ４から清掃位置Ｐ５まで移動させることができる。
【００５６】
これによって、搬送部であるスレッディング機構４のスレッディングアーム４２が、リーダブロック４１を移動させるだけで、清掃部材７３を自動的に基本位置Ｐ４から清掃位置Ｐ５まで移動させて、磁気ヘッド６を清掃することができる。したがって、駆動源となるモータ等の別部品を必要とせず、清掃ユニット７を磁気ヘッド６の近くに設置することができる。そのため、磁気ヘッドを単純な構成で、安定して磁気ヘッド６を清掃することができる。
【００５７】
また、磁気テープ装置は小型化を図る必要があり部品を設置するスペースに制限がある。そのため、清掃ユニット７を磁気ヘッド６から離れた位置に配置せざるを得ない場合、他の部品等を避ける必要が生じ、清掃部材７３自体を薄くしたり、構造を複雑にしたりしなければならなくなっていた。そのため、安定して磁気ヘッド６を清掃するには、剛性が不足する恐れがあった。そして、剛性不足を解消するためには、清掃部材７３を構成する部品を厚くしたり、平面度等の加工精度を向上させたりするなど対策が必要となり、清掃ユニットを作成する上での負担が増大していた。
【００５８】
ところが、上述したように、清掃ユニット７を磁気ヘッド６の近くに配置する可能となることで、磁気ヘッド６を清掃する清掃部材７３を短くすることができる。したがって、安定して磁気ヘッド６を清掃するための剛性を容易に確保することができる。これにより、清掃ユニット７を製作する上での負担を軽減することができる。
【００５９】
さらに、清掃付勢部材７６であるねじりバネによって、清掃部材７３を基本位置Ｐ４側に向かって付勢している。そのため、清掃部材７３が清掃位置Ｐ５側に向かって回転移動すると、清掃本体部７３ｂには、ねじりばねから基本位置Ｐ４に向かって付勢力が働いている状態となる。この状態で、入力本体部７２ｂを押しているスレッディングアーム４２が入力本体部７２ｂから離間すると、清掃本体部７３ｂを付勢力によって基本位置Ｐ４に戻すことができる。同時に、連係機構７４である清掃連係部７３ｃから入力連係部７２ｄに対して、入力本体部７２ｂを待機位置Ｐ１に向かわせる力が働き、入力本体部７２ｂを清掃本体部７３ｂと同じ方向に回転移動させて待機位置Ｐ１に戻すことができる。したがって、リーダブロック４１の動きに合わせて、磁気ヘッド６を清掃した後に、清掃ユニット７を初期位置に自動的に戻すことができる。即ち、磁気ヘッド６を一旦清掃した後に、クリーニング部７３ｄがヘッド部６１に接触したままになってしまうことを防止できる。
【００６０】
また、連係機構７４である入力連係部７２ｄ及び清掃連係部７３ｃは、入力部材７２が待機位置Ｐ１から退避位置Ｐ３に向かって回転移動しても、入力部材７２に働く力を伝達させずに、清掃部材７３を基本位置Ｐ４に留まらせることができる。具体的には、連係機構７４である入力連係部７２ｄと清掃連係部７３ｃとが、入力本体部７２ｂが第二回転方向Ｒ２に向かって移動する場合に離間する。そのため、清掃部材７３を移動させずに、入力部材７２のみを清掃ユニット７がスレッディング機構４の移動を妨げないよう移動させることができる。したがって、スレッディング機構４を供給リール３から巻き取りリール５に向かって移動させるために清掃部材７３が移動するスペースを確保する必要が無くなる。これにより、清掃ユニット７のコンパクト化を図ることができ、磁気ヘッド６周りにスペースが無くとも、清掃ユニット７を磁気ヘッド６の近くに容易に設置することができる。
【００６１】
さらに、入力付勢部材７５であるねじりバネによって、入力部材７２を待機位置Ｐ１に向かって付勢している。そのため、入力部材７２が退避位置Ｐ３に向かって回転移動すると、入力本体部７２ｂには、ねじりばねから待機位置Ｐ１に向かって付勢力が働いている状態となる。この状態で、入力本体部７２ｂを押しているスレッディングアーム４２が入力本体部７２ｂから離間すると、入力本体部７２ｂを付勢力によって待機位置Ｐ１に戻すことができる。したがって、スレッディング機構４を供給リール３から巻き取りリール５に向かって移動させるために、入力部材７２をスレッディング機構４の移動を阻害しない退避位置Ｐ３に逃がした後に、入力部材７２を初期位置に自動的に戻すことができる。即ち、搬送部であるスレッディング機構４の移動によって、入力部材７２が退避位置Ｐ３に配置されたままになってしまうことを防止できる。これにより、清掃ユニット７によって複数回にわたって安定して磁気ヘッド６を清掃することができる。
【００６２】
また、本発明の最小構成による磁気テープ装置１の磁気ヘッド清掃方法は、図９に示すように、磁気テープＭが巻き付けられる供給リール３と、供給リール３から引き出される磁気テープＭを巻き取る巻き取りリール５と、磁気テープＭを供給リール３から引き出し、搬送経路Ｆに沿って移動させて巻き取りリール５に巻き取らせるリーダブロック４１等の搬送部と、搬送経路Ｆの途中に配置されて、搬送経路Ｆを移動する磁気テープＭに対してデータの読み書きを行う磁気ヘッド６と、を備えた磁気テープ装置１に対して行われる。磁気テープ装置１の磁気ヘッド清掃方法は、磁気ヘッド６に対して搬送経路Ｆを挟んで対向して配置される支持部材７１に回転可能に支持されて搬送部の移動経路と交差する待機位置Ｐ１に配置される入力部材７２が、供給リール３に向かって移動する搬送部によって押圧されて、待機位置Ｐ１から、移動経路から退避する方向の作動位置Ｐ２に向かって回転移動する場合に実施される。磁気テープ装置１の磁気ヘッド清掃方法は、支持部材７１に回転可能に支持されて移動経路と交差しない基本位置Ｐ４に配置されると共に、磁気ヘッド６を接触することで清掃するクリーニング部７３ｄが設けられた清掃部材７３を、基本位置Ｐ４から移動経路と交差する清掃位置Ｐ５に向かって入力部材７２と同じ方向に回転するよう連係させて移動させ、クリーニング部７３ｄを磁気ヘッド６に接触させる。
【００６３】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、クレームの範囲によってのみ限定される。
【００６４】
なお、本実施形態では、リーダブロック４１に接続されているスレッディングアーム４２によって入力部材７２を押したが、これに限定されるものではない。例えば、リーダブロック４１自体で入力部材７２を押してもよく、または、入力部材７２を押すために異なる部材をリーダブロック４１に設けてもよい。
【００６５】
また、清掃付勢部材７６や入力付勢部材７５として、ねじりバネを用いたがこれに限定されるものではない。清掃付勢部材７６や入力付勢部材７５は、例えば、板バネ等の他の種類にバネ部材であってもよい。また、清掃付勢部材７６や入力付勢部材７５は、付勢することが可能な部材であればよく、ゴム材等の弾性部材や、形状的に弾性力を高めたプラスチック部材等であってもよい。
【符号の説明】
【００６６】
Ｍ…磁気テープ  Ｆ…搬送経路  Ｔ１…搬送方向  Ｔ２…搬送交差方向  Ｔ３…磁気テープ幅方向  １…磁気テープ装置  ２…外装部材  ３…供給リール  ３１…テープカートリッジ  ３２…リーダピン３２  ４…スレッディング機構  ４１…リーダブロック  ４１ａ…フック部  ４１ｂ…連結軸  ４１ｃ…ローラ  ４２…スレッディングアーム  ５…巻き取りリール  ６…磁気ヘッド  ６１…ヘッド部  ６２…進退機構  ７…清掃ユニット  ７１…支持部材  ７２…入力部材  ７２ａ…入力挿通部  ７２ｂ…入力本体部  ７２ｃ…付勢部材受け部  ７２ｄ…入力連係部  ７３…清掃部材  ７３ａ…清掃挿通部  ７３ｂ…清掃本体部  ７３ｃ…清掃連係部  ７４…連係機構  ７５…入力付勢部材  ７６…清掃付勢部材  Ｐ１…待機位置  Ｐ２…作動位置  Ｐ３…退避位置  Ｐ４…基本位置  Ｐ５…清掃位置  Ｒ１…第一回転方向  Ｒ２…第二回転方向
【図１】
2015056197.tif 000003
【図２】
2015056197.tif 000004
【図３】
2015056197.tif 000005
【図４】
2015056197.tif 000006
【図５】
2015056197.tif 000007
【図６】
2015056197.tif 000008
【図７】
2015056197.tif 000009
【図８】
2015056197.tif 000010
【図９】
2015056197.tif 000011